(57)【要約】【課題】複数のアプリケーションから選択される特定のアプリケーションについて通信量を気にせずに利用することができるような新たなサービスを実現することが可能な管理サーバ等を提供すること。【解決手段】管理サーバは、ユーザの端末における通信量を管理し、ユーザの端末における通信量が、速度制限されることなく利用可能な上限値に達したか否かを判断する管理部と、所定の複数のアプリケーションの中から選択された１つ又は複数のアプリケーションをユーザに対応付けて登録する登録部とを含み、管理部は、ユーザの端末におけるユーザに対応付けて登録されたアプリケーションによる通信の通信量を、ユーザの端末における通信量としてカウントしない。【選択図】図９
2018084870.tif 000002
【特許請求の範囲】
【請求項１】
ユーザの端末とネットワークを介して接続され、ユーザ情報を管理する管理サーバのためのプログラムであって、
前記ユーザの端末における通信量を管理し、前記ユーザの端末における通信量が、速度制限されることなく利用可能な上限値に達したか否かを判断する管理部と、
所定の複数のアプリケーションの中から選択された１つ又は複数のアプリケーションを前記ユーザに対応付けて登録する登録部としてコンピュータを機能させ、
前記管理部は、
前記ユーザの端末における前記ユーザに対応付けて登録されたアプリケーションによる通信の通信量を、前記ユーザの端末における通信量としてカウントしないことを特徴とするプログラム。
【請求項２】
請求項１において、
前記登録部は、
前記ユーザの端末からの入力情報に基づいて、前記複数のアプリケーションの中から前記ユーザによって選択された１つ又は複数のアプリケーションを前記ユーザに対応付けて登録することを特徴とするプログラム。
【請求項３】
請求項２において、
前記ユーザの端末における前記複数のアプリケーションごとの通信の通信量を、前記ユーザに提示する処理を行う提示部として更にコンピュータを機能させることを特徴とするプログラム。
【請求項４】
請求項２又は３において、
前記複数のアプリケーションの中に前記ユーザに対応付けて登録されたアプリケーションよりも通信量が大きいアプリケーションがある場合に、当該通信量が大きいアプリケーションを、前記ユーザに提示する処理を行う提示部として更にコンピュータを機能させることを特徴とするプログラム。
【請求項５】
ユーザの端末とネットワークを介して接続され、ユーザ情報を管理する管理サーバであって、
前記ユーザの端末における通信量を管理し、前記ユーザの端末における通信量が、速度制限されることなく利用可能な上限値に達したか否かを判断する管理部と、
所定の複数のアプリケーションの中から選択された１つ又は複数のアプリケーションを前記ユーザに対応付けて登録する登録部とを含み、
前記管理部は、
前記ユーザの端末における前記ユーザに対応付けて登録されたアプリケーションによる通信の通信量を、前記ユーザの端末における通信量としてカウントしないことを特徴とする管理サーバ。
【発明の詳細な説明】
【技術分野】
【０００１】
本発明は、プログラム及び管理サーバに関する。
【背景技術】
【０００２】
近年、ユーザが選んだ通信事業者のＳＩＭを、自分の好みの端末に入れ替えて使うことができる、いわゆるＳＩＭフリー或いは格安ＳＩＭと呼ばれるサービスが展開されている。ユーザは、自分に適した通信事業者と契約すれば月々の通信料金や通話料金を減額することができ、ユーザにとってもメリットが大きい。
【０００３】
また、従来技術として、携帯電話の個人契約の通信料金や通話料金を、法人割引を適用するサービスが存在する（例えば、特許文献１参照）。
【先行技術文献】
【特許文献】
【０００４】
【特許文献１】特開２００５−８５０９９号公報
【発明の概要】
【発明が解決しようとする課題】
【０００５】
従来技術の通信料金や通話料金の割引サービスは、法人割引を適用しているにすぎない。またＳＩＭフリーによって、新たなサービスが望まれている。
【０００６】
本発明は、以上のような課題に鑑みてなされたものであり、その目的とするところは、ＳＩＭフリーに係る新たなサービスを実現することが可能なプログラム及び管理サーバを提供することにある。
【課題を解決するための手段】
【０００７】
（１）本発明は、ユーザの端末とネットワークを介して接続され、ユーザ情報を管理する管理サーバのためのプログラムであって、前記ユーザの端末における通信量を管理し、前記ユーザの端末における通信量が、速度制限されることなく利用可能な上限値に達したか否かを判断する管理部と、所定の複数のアプリケーションの中から選択された１つ又は複数のアプリケーションを前記ユーザに対応付けて登録する登録部としてコンピュータを機能させ、前記管理部は、前記ユーザの端末における前記ユーザに対応付けて登録されたアプリケーションによる通信の通信量を、前記ユーザの端末における通信量としてカウントしないことを特徴とするプログラムに関する。また本発明は、コンピュータ読み取り可能な情報記憶媒体であって、上記各部としてコンピュータを機能させるためのプログラムを記憶した情報記憶媒体に関する。また本発明は、上記各部を含む管理サーバに関する。
【０００８】
本発明によれば、複数のアプリケーションから選択された特定のアプリケーションについて通信量を気にせずに利用することが可能な新たなサービスを実現することができる。
【０００９】
（２）また本発明に係るプログラム、情報記憶媒体及び管理サーバでは、前記登録部は、前記ユーザの端末からの入力情報に基づいて、前記複数のアプリケーションの中から前記ユーザによって選択された１つ又は複数のアプリケーションを前記ユーザに対応付けて登録してもよい。
【００１０】
本発明によれば、複数のアプリケーションからユーザ自身が選択したアプリケーションについて通信量を気にせずに利用することが可能な新たなサービスを実現することができ
る。
【００１１】
（３）また本発明に係るプログラム、情報記憶媒体及び管理サーバでは、前記ユーザの端末における前記複数のアプリケーションごとの通信の通信量を、前記ユーザに提示する処理を行う提示部として更にコンピュータを機能させてもよい（提示部を更に含んでもよい）。
【００１２】
本発明によれば、アプリケーションを選択する（登録するアプリケーションを変更する）際の有益な判断材料をユーザに提供することができる。
【００１３】
（４）また本発明に係るプログラム、情報記憶媒体及び管理サーバでは、前記複数のアプリケーションの中に前記ユーザに対応付けて登録されたアプリケーションよりも通信量が大きいアプリケーションがある場合に、当該通信量が大きいアプリケーションを、前記ユーザに提示する処理を行う提示部として更にコンピュータを機能させてもよい（提示部を更に含んでもよい）。
【００１４】
本発明によれば、アプリケーションを選択する（登録するアプリケーションを変更する）際の有益な判断材料をユーザに提供することができる。
【図面の簡単な説明】
【００１５】
【図１】本実施形態の管理サーバを含むネットワークシステムを示す図である。
【図２】本実施形態の管理サーバの機能ブロック図の一例を示す図である。
【図３】管理サーバの記憶部に記憶されるユーザ情報の一例を示す図である。
【図４】通信事業者Ａが設定する料金プランの一覧を示す図である。
【図５】ユーザがアプリケーションを選択して登録するための登録画面の一例を示す図である。
【図６】管理サーバの記憶部に記憶される通信情報の一例を示す図である。
【図７】ユーザが通信量を確認するための確認画面の一例を示す図である。
【図８】ユーザが通信量を確認するための確認画面の他の例を示す図である。
【図９】本実施形態の管理サーバの処理の流れを示すフローチャートである。
【発明を実施するための形態】
【００１６】
以下、本実施形態について説明する。なお、以下に説明する本実施形態は、特許請求の範囲に記載された本発明の内容を不当に限定するものではない。また本実施形態で説明される構成の全てが、本発明の必要構成要件であるとは限らない。
【００１７】
１．構成
本実施形態では、通信事業者Ａがユーザに対してサービスを提供する例について説明する。つまり、ユーザは、通信事業者Ａと契約し、通信事業者ＡのＳＩＭ（Subscriber Identity Module card）をユーザの端末１０に入れることによって通信事業者Ａのサービスを利用することができる。本実施形態の通信事業者Ａは、移動体通信事業者（ＭＮＯ）或いは仮想移動体サービス提供者（ＭＶＮＥ）から回線を借りて通信サービスを提供する仮想移動体通信事業者（ＭＶＮＯ）である。ＭＮＯは、回線（３Ｇ回線、４Ｇ回線、５Ｇ回線、ＬＴＥ回線等）を保有し、回線の保守や管理を行っている。
【００１８】
図１は、本実施形態の管理サーバを含むネットワークシステムを示す図である。ネットワークシステム１は、複数のユーザの端末１０と、通信事業者Ａの管理サーバ２０とによって構成される。つまり、図１に示すように、ネットワークシステム１は、管理サーバ２０と、ユーザの端末１０とが、ネットワーク（例えば、インターネット）を介して接続可能に構成される。
【００１９】
管理サーバ２０は、通信事業者Ａが管理するサーバであり、通信事業者Ａと契約したユーザのユーザ情報を管理するためのサーバである。管理サーバ２０は、ＳＮＳ（ソーシャル・ネットワーキング・サービス）と呼ばれるコミュニティ型のサービスを提供するＳＮＳサーバ、ゲーム処理サーバ等の機能を有していてもよい。また、管理サーバ２０は、複数の装置（ハードウエア）によって構成されていてもよく、処理の機能やストレージを分散してもよい。
【００２０】
ユーザの端末１０は、ＳＩＭカードを入れ替え可能な端末（スマートフォン、タブレットＰＣ、携帯電話、携帯型ゲーム機等）である。ユーザの端末１０は、インターネット（ＷＡＮ）、ＬＡＮなどのネットワークを介して管理サーバ２０に接続可能な装置である。なお、ユーザの端末１０と管理サーバ２０との通信回線は、無線であるが有線であってもよい。
【００２１】
図２に、本実施形態の管理サーバ２０の機能ブロック図の一例を示す。なお本実施形態の管理サーバ２０は図２の構成要素（各部）の一部を省略した構成としてもよい。
【００２２】
記憶部２７０は、処理部２００の各部としてコンピュータを機能させるためのプログラムや各種データを記憶するとともに、処理部２００のワーク領域として機能し、その機能はハードディスク、ＲＡＭなどにより実現できる。
【００２３】
記憶部２７０には、ユーザ情報２７２、通信情報２７４等が記憶される。ユーザ情報２７２は、通信事業者Ａと契約したユーザに関する情報であり、例えば、ユーザの個人情報や契約情報等を含む。通信情報２７４は、ユーザの端末１０における通信量に関する情報を含む。
【００２４】
通信部２９６は、外部（ユーザの端末１０、他のサーバ）との間で通信を行うための各種制御を行うものであり、その機能は、各種プロセッサ又は通信用ＡＳＩＣなどのハードウェアや、プログラムなどにより実現できる。
【００２５】
処理部２００（プロセッサ）は、ユーザ情報２７２や通信情報２７４の管理、通信制御処理などの各種処理を行う。処理部２００の機能は各種プロセッサ（ＣＰＵ、ＤＳＰ等）、ＡＳＩＣ（ゲートアレイ等）などのハードウェアや、プログラムにより実現できる。処理部２００は、管理部２１０、登録部２１２を含む。
【００２６】
管理部２１０は、ユーザの端末１０における通信量を管理する。すなわち、管理部２１０は、ユーザの端末１０における通信量を当該ユーザのユーザＩＤに対応付けて通信情報２７４として記憶する。
【００２７】
また、管理部２１０は、ユーザの端末１０における通信量が、速度制限されることなく利用可能な上限値（当該ユーザが契約した料金プランで規定される月あたりの最大通信量）に達したか否かを判断する。ユーザの端末１０における通信量が当該上限値に達した場合、処理部２００は、パケット中継装置を制御して、当該月の末日まで、当該ユーザの端末１０の最大通信速度（単位時間当たりの最大通信量）を所定の通信速度（例えば、１２８ｋｂｐｓ）に制限する。
【００２８】
登録部２１２は、ユーザの端末１０からの入力情報に基づいて、所定数のアプリケーション（ユーザの端末１０にインストール可能なアプリケーションプログラム）の中から、ユーザによって選択された１つ又は複数（所定数未満の数）のアプリケーションを、当該ユーザに対応付けて登録する。すなわち、ユーザによって選択された１つ又は複数のアプ
リケーションを当該ユーザのユーザＩＤに対応付けてユーザ情報２７２として記憶する。
【００２９】
ここで、管理部２１０は、ユーザの端末１０における当該ユーザに対応付けて登録されたアプリケーションによる通信の通信量を管理しており、当該アプリケーションによる通信の通信量を、当該ユーザの端末１０における通信量としてカウントしない。例えば、管理部２１０は、当該ユーザの端末１０における総通信量ＣＶＴから当該アプリケーションによる通信の通信量ＣＶＲを差し引いた通信量ＣＶＥを、当該ユーザの端末１０における通信量とする（すなわち、総通信量ＣＶＴが上限値に達したか否かを判断するのではなく、通信量ＣＶＥが上限値に達したか否かを判断する）。また、管理部２１０は、ユーザの端末１０における通信量ＣＶＥが当該上限値に達した場合であっても、当該ユーザに対応付けて登録されたアプリケーションによる通信については、最大通信速度を制限しないように制御する。なお、特定のアプリケーションによる通信の識別は、ＤＰＩ（Deep Packet Inspection）と呼ばれる技術を用いて行うことができ、これにより、特定のアプリケーションによる通信の通信量の測定と最大通信速度の制御を行うことができる。
【００３０】
処理部２００は、提示部２１４を更に含んでいてもよい。提示部２１４は、ユーザの端末１０における前記所定数のアプリケーションごとの通信の通信量を、当該ユーザに提示する処理（例えば、当該ユーザの端末１０に表示させる処理）を行う。この場合、管理部２１０は、ユーザの端末１０における前記所定数のアプリケーションごとの通信の通信量を管理する。また、提示部２１４は、前記所定数のアプリケーションの中に前記ユーザに対応付けて登録されたアプリケーションよりも通信量が大きいアプリケーションがある場合に、当該通信量が大きいアプリケーションを、前記ユーザに提示する処理を行ってもよい。
【００３１】
２．本実施形態の手法
次に本実施形態の手法について図面を用いて説明する。
【００３２】
図３は、管理サーバ２０の記憶部２７０に記憶されるユーザ情報２７２の一例を示す図である。ユーザ情報２７２には、各ユーザのユーザＩＤ（ユーザ識別情報）、電話番号、氏名、住所、メールアドレス等の個人情報、各ユーザが契約した料金プランを特定する情報が格納される。また、ユーザ情報２７２には、ユーザに対応付けて登録されたアプリケーションを特定する情報（「登録アプリ」）が格納される。アプリケーションを特定する情報は、当該アプリケーションによる通信（例えば、当該アプリケーションと、当該アプリケーションを提供する事業者のゲームサーバ間の通信）を識別するための情報（例えば、ヘッダ情報）を含む。
【００３３】
図４は、通信事業者Ａが設定する料金プランの一覧を示す図である。各ユーザは、通信事業者Ａと契約する際にいずれかの料金プランで契約する。例えば、「プランＡ」では、月額７００円で、１か月の間、通信量が上限値である１ＧＢに達するまでは、速度制限されることなくデータ通信を利用することができ、「プランＢ」では、月額１，１００円で、１か月の間、通信量が上限値である３ＧＢに達するまでは、速度制限されることなくデータ通信を利用することができる。なお、各プランにおいて、通信量が上限値を超えた場合、月末まで最大通信速度が所定の通信速度に制限される。図３に示す例では、ユーザ１（ユーザＩＤ：１）は「プランＡ」を契約し、ユーザ２（ユーザＩＤ：２）、ユーザ４（ユーザＩＤ：４）は「プランＢ」を契約し、ユーザ３（ユーザＩＤ：３）は「プランＣ」を契約している。
【００３４】
本実施形態の管理サーバ２０は、所定数のアプリケーションの中からユーザが選択した１つ又は複数のアプリケーションを当該ユーザに対応付けてユーザ情報２７２に登録する。所定数のアプリケーションとは、通信事業者Ａが提供する複数のアプリケーション（例
えば、ゲームアプリケーション）のうち、通信事業者Ａが指定する所定数のアプリケーションである。
【００３５】
図５は、ユーザがアプリケーションを選択して登録するための登録画面の一例を示す図である。図５に示す登録画面ＲＩは、ユーザの端末１０の表示部（タッチパネル）に表示される。登録画面ＲＩには、所定数（ここでは、５つ）のアプリケーションを示すボタンＢＡが選択可能に表示されている。ユーザは所定数のボタンＢＡのいずれかを選択する操作を行うことで、所定数のアプリケーションのいずれかを選択することができる。但し、所定数のアプリケーションのうち、ユーザの端末１０にインストールされていないアプリケーションのボタンＢＡについては、選択不可の状態で表示される（或いは、非表示とされる）。図５に示す例では、「アプリＡ」〜「アプリＤ」のうち、ユーザの端末１０にインストロールされていない「アプリＣ」のボタンＢＡが、グレーアウト表示され、選択不可状態となっている。なお、選択不可状態となっているボタンＢＡを選択する入力が行われた場合に、当該ボタンＢＡで示されるアプリケーションをインストール（ダウンロード）可能な画面に移行することで、当該アプリケーションのインストールをユーザに促すように構成してもよい。
【００３６】
図５に示す例では、「アプリＡ」が選択状態、「アプリＢ」〜「アプリＤ」が非選択状態となっており、この状態で、ユーザが登録画面ＲＩに表示された登録用のボタンＢＤを選択する入力を行うと、入力情報が管理サーバ２０に送信され、管理サーバ２０では、選択された「アプリＡ」が当該ユーザに対応付けてユーザ情報２７２に登録される。なお、図３に示す例では、ユーザ１に対応付けて「アプリＡ」が登録され、ユーザ２に対応付けて「アプリＤ」が登録され、ユーザ３に対応付けて「アプリＣ」が登録され、ユーザ４に対応付けて「アプリＢ」が登録されている。ここでは、ユーザが同時に登録（選択）可能なアプリケーションを１つとしているが、ユーザが同時に登録可能なアプリケーションを複数（所定数未満の数）としてもよい。また、ユーザが契約した料金プランに応じて、ユーザが登録可能なアプリケーションの数を変更してもよい。例えば、月額料金が高い料金プランを契約したユーザが、月額料金が安い料金プランを契約したユーザよりも多くのアプリケーションを同時に登録できるようにしてもよい。
【００３７】
本実施形態の管理サーバ２０は、ユーザの端末１０における通信量が料金プランで規定される上限値に達した場合に、当該ユーザの端末１０の最大通信速度を制限するが、当該ユーザに対応付けて登録されたアプリケーションによる通信の通信量については、当該ユーザの端末１０における通信量としてカウントしない。
【００３８】
図６は、管理サーバ２０の記憶部２７０に記憶される通信情報２７４の一例を示す図である。通信情報２７４には、毎月の利用期間において各ユーザが端末１０で利用した通信量の情報が格納される。また、通信情報２７４には、各ユーザの端末１０における所定数のアプリケーション（ここでは、「アプリＡ」、「アプリＢ」、「アプリＣ」、「アプリＤ」）ごとの通信量の情報も格納されている。図６に示す例は、「２０１６年１１月」の利用期間でのユーザ１の端末１０における通信量が「８００ＭＢ」であり、同期間でのユーザ２の端末１０における通信量が「２．１ＧＢ」であることを示している。この通信量は、ユーザの端末１０における総通信量ＣＶＴからユーザに対応付けて登録されたアプリケーションによる通信の通信量ＣＶＲを差し引いた通信量ＣＶＥである。例えば、ユーザ１の端末１０における通信量「８００ＭＢ」には、ユーザ１に対応付けて登録された「アプリＡ」の通信量「６０ＭＢ」は含まれておらず、また、ユーザ２の端末１０における通信量「２．１ＧＢ」には、ユーザ２に対応付けて登録された「アプリＤ」の通信量「２００ＭＢ」は含まれていない。従って、ユーザ１は、登録された「アプリＡ」の利用によっては通信量ＣＶＥが増加することはないため、「アプリＡ」について通信量を気にせずに利用することができ、同様に、ユーザ２は、登録された「アプリＤ」の利用によっては通
信量ＣＶＥが増加することはないため、「アプリＤ」について通信量を気にせずに利用することができる。
【００３９】
また、本実施形態の管理サーバ２０は、ユーザの端末１０における通信量が上限値に達した場合であっても、当該ユーザに対応付けて登録されたアプリケーションの通信については最大通信速度を制限しない。従って、ユーザ１は、通信量ＣＶＥが上限値に達した場合であっても「アプリＡ」について速度制限を受けずに利用し続けることができ、同様に、ユーザ２は、通信量ＣＶＥが上限値に達した場合であっても「アプリＤ」について速度制限を受けずに利用し続けることができる。
【００４０】
このように、本実施形態によれば、通信事業者Ａが指定する複数のアプリケーションからユーザ自身が選択したアプリケーションについて通信量を気にせずに且つ速度制限を受けずに利用することが可能な新たなサービスを実現することができる。
【００４１】
また、本実施形態の管理サーバ２０は、ユーザの端末１０における所定数のアプリケーションごとの通信量を、ユーザの端末１０に表示させる（ユーザに提示する）処理を行う。図７は、ユーザが通信量を確認するための確認画面の一例を示す図である。図７に示す確認画面ＣＩは、ユーザ（ここでは、ユーザ１）の端末１０の表示部に表示される。確認画面ＣＩには、当月（ここでは、２０１６年１１月）における「アプリＡ」〜「アプリＤ」それぞれの通信量が表示されている。ユーザは、確認画面ＣＩを見ることで、登録したアプリケーションを変更すべきか否かを検討する際の判断材料を得ることができる。例えば、図７に示す例では、ユーザ１が登録した「アプリＡ」の通信量よりも「アプリＢ」の通信量の方が大きいため、ユーザ１は「アプリＡ」に代えて「アプリＢ」を登録することを検討することができる。なお、ユーザが確認画面ＣＩに表示されたボタンＢＲを選択する入力を行うと、登録画面ＲＩに移行する。ユーザは、登録画面ＲＩにおいて現在登録されたアプリケーションとは異なるアプリケーションのボタンＢＡを選択し、ボタンＢＤを選択する入力を行うことで、登録したアプリケーションを変更することができる。なお、登録したアプリケーションを変更する入力が行われた場合、管理サーバ２０は、当該変更を、即時に或いは翌月に替わったタイミングでユーザ情報２７２に反映させる。
【００４２】
また、本実施形態の管理サーバ２０は、所定数のアプリケーションの中にユーザに対応付けて登録されたアプリケーションよりも通信量が大きいアプリケーションがある場合に、当該通信量が大きいアプリケーションを、ユーザの端末１０に表示させる処理を行ってもよい。例えば、確認画面ＣＩにおいてアプリケーションごとの通信量を表示することに代えて、図８に示すように、登録されたアプリケーション（ここでは、「アプリＡ」）よりも通信量が大きいアプリケーション（ここでは、「アプリＢ」）がある旨のメッセージを表示する。このようにしても、登録したアプリケーションを変更するか否かを検討する際の有益な判断材料をユーザに提供することができる。
【００４３】
なお、上記説明では、ユーザ自身が選択したアプリケーションを当該ユーザに対応付けて登録する場合について説明したが、ユーザの端末１０における複数のアプリケーションごとの通信量に基づいて所定数のアプリケーションから１つ又は複数のアプリケーションを選択し、選択した１つ又は複数のアプリケーションを当該ユーザに対応付けて登録してもよい。例えば、登録部２１２は、所定数のアプリケーションのうちユーザの端末１０において通信量の最も大きいアプリケーションを、当該ユーザに対応付けて登録してもよい。
【００４４】
３．処理
次に、本実施形態の管理サーバ２０の処理の一例について図９のフローチャートを用い
て説明する。
【００４５】
登録部２１２は、所定数のアプリケーションの中から１つ又は複数のアプリケーションを選択する入力情報をユーザの端末１０から受信したか否かを判断し（ステップＳ１０）、当該入力情報を受信した場合（ステップＳ１０のＹ）には、選択されたアプリケーションを当該ユーザに対応付けてユーザ情報２７２に登録する（ステップＳ１２）。
【００４６】
次に、管理部２１０は、ユーザの端末１０における通信量ＣＶＥ（当該ユーザに対応付けて登録されたアプリケーションによる通信の通信量ＣＶＲを除く通信量）と、ユーザの端末１０における所定数のアプリケーションごとの通信の通信量とを取得して、通信情報２７４を更新する（ステップＳ１４）。次に、処理部２００は、通信情報２７４を参照して、ユーザの端末１０における通信量ＣＶＥが上限値に達したか否かを判断し（ステップＳ１６）、ユーザの端末１０における通信量ＣＶＥが上限値に達した場合（ステップＳ１６のＹ）には、当該ユーザの端末１０の最大通信速度を制限する制御を行う（ステップＳ１８）。但し、処理部２００は、当該ユーザに対応付けて登録されたアプリケーションによる通信については通信速度を制限しない。
【００４７】
次に、提示部２１４は、通信量の確認を要求する要求情報をユーザの端末１０から受信したか否かを判断し（ステップＳ２０）、当該要求情報を受信した場合（ステップＳ２０のＹ）には、通信情報２７４を参照して、当該ユーザの端末１０における所定数のアプリケーションごとの通信の通信量を示す情報（図７参照）を当該ユーザに送信する（ステップＳ２２）。
【００４８】
次に、処理部２００は、内部時計の計時情報（月情報）を参照して、月が替わったか否かを判断し（ステップＳ２４）、月が替わっていない場合（ステップＳ２４のＮ）には、ステップＳ１０に移行する。月が替わった場合（ステップＳ２４のＹ）には、管理部２１０は、通信情報２７４における各ユーザの端末１０における通信量ＣＶＥと所定数のアプリケーションごとの通信の通信量とをリセットし（ステップＳ２６）、処理部２００は、最大通信速度が制限された端末１０がある場合には当該制限を解除し（ステップＳ２８）、ステップＳ１０に移行する。
【００４９】
本発明は、上記実施形態で説明したものに限らず、種々の変形実施が可能である。例えば、明細書又は図面中の記載において広義や同義な用語として引用された用語は、明細書又は図面中の他の記載においても広義や同義な用語に置き換えることができる。
【符号の説明】
【００５０】
１０  端末、２０  管理サーバ、２００  処理部、２１０  管理部、２１２  登録部、２１４  提示部、２７０  記憶部、２７２  ユーザ情報、２７４  通信情報、２９６  通信部
【図１】
2018084870.tif 000003
【図２】
2018084870.tif 000004
【図３】
2018084870.tif 000005
【図４】
2018084870.tif 000006
【図５】
2018084870.tif 000007
【図６】
2018084870.tif 000008
【図７】
2018084870.tif 000009
【図８】
2018084870.tif 000010
【図９】
2018084870.tif 000011